(57)【要約】【課題】幅員の狭い歩道等に埋設するのに適した、小型分岐桝内で電線類が煩雑に干渉することがなく需要家に引き出せ、漏電の危険性のない施工が容易な小型分岐桝及び電線共同溝を提供する。【解決手段】電線共同溝１０の途中に設置されて電線類８ａ、８ｂを需要家に引き出す小型分岐桝１であって、小型分岐桝本体２と蓋体３とからなり、その小型分岐桝本体２の底壁２ａの幅方向に凹溝４ａ、４ｂが形成され、該凹溝の少なくとも一端が開口した構成とする。小型分岐桝１から電線類８ａ、８ｂを需要家に引き出すとき、凹溝４に電線類８ａ、８ｂを嵌め込むことで、埋設深さ３００ｍｍを簡単に確保することができ、他の電線類と煩雑に干渉して絡むのを防止することができる。【選択図】図１
2006101652.tif 000002
【特許請求の範囲】
【請求項１】
電線共同溝の途中に設置されて電線類を需要家に引き出す小型分岐桝であって、小型分岐桝本体と蓋体とからなり、その小型分岐桝本体の底壁の幅方向に凹溝が形成され、該凹溝の少なくとも一端が開口していることを特徴とする小型分岐桝。
【請求項２】
小型分岐桝本体の長さ方向の一端に受口を形成し、他端に挿口を形成したことを特徴とする請求項１に記載の小型分岐桝。
【請求項３】
蓋体が点検用の凸蓋であることを特徴とする請求項１または請求項２に記載の小型分岐桝。
【請求項４】
小型分岐桝本体の長さ方向に隔壁を設けたことを特徴とする請求項１ないし請求項３のいずれかに記載の小型分岐桝。
【請求項５】
小型分岐桝の幅が電線共同溝の構成部材の幅よりも広いことを特徴とする請求項１ないし請求項４のいずれかに記載の小型分岐桝。
【請求項６】
電線共同溝の構成部材の相互間に、請求項１ないし請求項５のいずれかに記載の小型分岐桝を設置して接続したことを特徴とする電線共同溝。
【請求項７】
電線共同溝の構成部材が、長さ方向の一端に受口を形成し、他端に挿口を形成した蓋付トラフであることを特徴とする請求項６に記載の電線共同溝。
【発明の詳細な説明】
【技術分野】
【０００１】
本発明は、地中の浅層に埋設する小型分岐桝とその小型分岐桝を設置した電線共同溝に関する。
【背景技術】
【０００２】
近年、幅員の狭い歩道等の地下空間にも電線類を収容するという「新地中化計画」に基づき、浅層埋設型の電線共同溝の整備が進められている。
【０００３】
この電線共同溝内に通された電線類（通信線や電力線など）を、電線共同溝より引き出して、各々需要家に引き込むために、両側壁部に電線を引き出すための透孔を現場で形成するためのノックアウト部を設けた筒型のプレキャストコンクリートからなる躯体ブロックの両端部の開口部に、それぞれ箱型のプレキャストコンクリートからなる端部ブロックを連結し、該端部ブロックに前記開口部と連通する電線引き出し用の開口部を設け、該開口部に電線共同溝を挿入または突き合わせ可能に形成した電線共同溝の分岐構造が提案されている（特許文献１）。
【０００４】
しかしながら、上記の電線共同溝の分岐構造は、基本的に幅２，５メートル以上の幅員の広い幹線道路等を対象としているため、幅員の狭い歩道等（具体的には幅２，５メートル以下）に施工するのには適していなかった。即ち、電線共同溝を幅員の狭い歩道等に施工するときは、電線共同溝を浅層に埋設するため、上記の電線共同溝の分岐構造では躯体ブロックから電線類を需要家に引き込むときに、新地中化計画の基準値である最低埋設深さ３００ｍｍを確保することができないという問題があった。また、分岐した電線類を需要家側に引き込むときに、躯体ブロック内部で電線類同士が煩雑に干渉したり、コンクリートの躯体ブロック側面の透孔に電線類が擦れて傷つき、漏電する恐れがあるという問題もあった。更に、通常は５０ｍ間隔で設置される躯体ブロックと需要家との距離が大きい場合は、最寄の躯体ブロックから需要家に対して管路を引き込まなければならないため、管路工事距離が増加しコスト高になるという問題もあった。
【特許文献１】特開平９−９３７７６号公報
【発明の開示】
【発明が解決しようとする課題】
【０００５】
本発明は、上記の問題に対処すべくなされたもので、その目的とすることは、幅員の狭い歩道等に埋設するのに適した、具体的には埋設深さ３００ｍｍを容易に確保することができ、小型分岐桝内で電線類が煩雑に干渉することがなく需要家に引き出せ、漏電の危険性のない施工が容易で、しかも管路工事距離を短くすることが可能な小型分岐桝及び電線共同溝を提供することにある。
【課題を解決するための手段】
【０００６】
上記の課題を解決するために、本発明に係る小型分岐桝は、電線共同溝の途中に設置されて電線類を需要家に引き出す小型分岐桝であって、小型分岐桝本体と蓋体とからなり、その小型分岐桝本体の底壁の幅方向に凹溝が形成され、該凹溝の少なくとも一端が開口していることを特徴とするものである。
【０００７】
本発明の小型分岐桝においては、小型分岐桝本体の長さ方向の一端に受口を形成し、他端に挿口を形成することが好ましい。また、蓋体が点検用の凸蓋であることが好ましく、小型分岐桝本体の長さ方向に隔壁を設けることが好ましい。更に、小型分岐桝の幅が電線共同溝構成部材の幅よりも広いものがより好ましい。
【０００８】
また、本発明の電線共同溝は、電線共同溝の構成部材の相互間に、上記の小型分岐桝を設置して接続したことを特徴とするものである。
【０００９】
本発明の電線共同溝においては、電線共同溝の構成部材が、長さ方向の一端に受口を形成し、他端に挿口を形成した蓋付トラフであることが好ましい。
【発明の効果】
【００１０】
本発明の小型分岐桝は、その小型分岐桝本体の底壁の幅方向に凹溝を形成し、該凹溝の少なくとも一端を開口させたので、電線類（電力線や通信線など）を分岐して需要家に引き出すとき、その凹溝に引き出す電線類を嵌め込むことで他の電線類よりも引き出す電線類の位置の方が深くなり、新地中化計画の埋設深さの最低基準値である３００ｍｍを簡単に確保することができると共に、引き出す電線類が他の電線類と煩雑に干渉して絡むのを防止して、凹溝一端の開口から需要家に引き出すことができる。しかも、この凹溝は小型分岐桝本体の底壁の幅方向に形成されているので、電線類を分岐桝の側面に対し垂直方向に無理なく引き出すことができ、電線類が凹溝一端の開口縁に擦れて傷く心配がなくなる。
【００１１】
また、上記の小型分岐桝において、小型分岐桝本体の長さ方向の一端に受口を形成し、他端に挿口を形成したものは、電線共同溝の途中に分岐桝を設置する際にその受口、挿口を利用して電線共同溝の構成部材と簡単に接続できるので、施工にかかる時間や労力を軽減することができる。
【００１２】
更に、蓋体を点検用の凸蓋とした小型分岐桝は、その蓋体が地面と面一になるように埋設すると、地面を掘削しなくても地上から凸蓋を取外して小型分岐桝内部の点検ができるので、メンテナンスがし易くなる。
【００１３】
また、小型分岐桝本体の長さ方向に隔壁を設けた小型分岐桝は、この隔壁によって電力線と通信線を隔てることで、電力線から発せられる電磁波等から通信線を保護して映像の乱れやノイズの発生を防止することができる。
【００１４】
更に、電線共同溝の構成部材の幅よりも幅が広い小型分岐桝は、内部スペースに幅方向の余裕ができるため、そのスペースに低圧分岐装置を収容し分岐桝内部で電力線を分岐して需要家に引き出すことができる。従って、従来のように低圧分岐装置を収容する大型のハンドホールから管路を引き出す必要がなくなり、ハンドホールから離れた所望の個所に小型分岐桝を設置して電線類を分岐できるようになる。
【００１５】
一方、本発明の電線共同溝は、電線共同溝の構成部材の相互間に上記の小型分岐桝を設置して接続したので、上述したように、需要家に引き出す電線類を絡ませたり擦傷させたりすることなく３００ｍｍ以上の埋設深さを確保して分岐することができる。
【００１６】
また、電線共同溝の構成部材が長さ方向の一端に受口を形成し、他端に挿口を形成した蓋付トラフである電線共同溝は、蓋付トラフの挿口や受口を利用して、蓋付トラフ相互の接続、及び、蓋付トラフと小型分岐桝との接続を、ボルト等がなくても簡単に行なうことができるので施工時間を大幅に短縮することができる。
【発明を実施するための最良の形態】
【００１７】
以下、図面を参照して本発明の具体的な実施形態を詳述する。
【００１８】
図１は本発明の一実施形態に係る小型分岐桝の水平断面図、図２は同分岐桝の側面図、図３は同分岐桝の横断面図、図４は本発明の一実施形態に係る電線共同溝を示す水平断面図、図５は同電線共同溝の側面図、図６は本発明の他の実施形態に係る電線共同溝を示す水平断面図である。
【００１９】
図１、図２に示すように、本発明に係る小型分岐桝１は、ポリエチレン、ポリプロピレン、ＡＢＳ樹脂、ＦＲＰ、レジンコンクリートなどで形成された小型分岐桝本体２と鋳鉄、レジンコンクリートなどで形成された蓋体３とで構成されたもので、小型分岐桝本体２の底壁２ａの幅方向には第一の凹溝４ａと第二の凹溝４ｂが形成され、その凹溝４ａ、４ｂの一端は、小型分岐桝本体２の幅方向の側壁２ｂを貫通して開口している。
【００２０】
小型分岐桝本体２は、図１、図２に示すように、上面が開口された長方形の筐体で、電線共同溝に埋設したとき周囲の土圧に充分耐え得るだけの厚みを有しており、その幅は、図４に示すように、電線共同溝の構成部材である蓋付トラフ１１よりも広くなっている。このように小型分岐桝本体２の幅を蓋付トラフ１１の幅よりも広く形成することで内部スペースに幅方向の余裕ができ、そのスペースに低圧分岐装置２０を収容し分岐桝１内部で電力線８ａを分岐して需要家に引き出すことができるようになるので、従来のように、低圧分岐装置２０を収容する大型のハンドホールから管路を引き出す必要がなくなり、所望の個所に小型分岐桝１を設置して電線類８ａ、８ｂを分岐できるようになる。
【００２１】
小型分岐桝本体２の底壁２ａの前記凹溝４ａ、４ｂが形成された部分は厚肉化され、下方に突出する凸部２ｂが形成されている。そして、凹溝４ａ、４ｂの一端はこの凸部２ｂの端面に開口し、その開口２ｃは需要家への分岐管路の接続口となっている。第一の凹溝４ａは、分岐すべき電力線８ａを嵌め込むための長い溝で、第二の凹溝４ｂは、分岐すべき電話線などの通信線８ｂを嵌め込むための短い溝となっている。このように底壁２ａの凸部２ｂに凹溝４ａ、４ｂを形成し、この凹溝４ａ、４ｂに分岐された電線類８ａ、８ｂを嵌め込んで開口２ｃから引き出すようにすると、電線類８ａ、８ｂを引き出す位置が深くなり、新地中化計画の埋設深さ３００ｍｍの基準を確保することができる。また、分岐された電線類８ａ、８ｂを凹溝４ａ、４ｂに嵌め込んで引き出すと、分岐された電線類８ａ、８ｂが他の電線類と煩雑に干渉して絡むのを防止することができ、しかも、電線類８ａ、８ｂを小型分岐桝１の側面に対し垂直方向に無理なく引き出すことができるので、電線類８ａ、８ｂが凹溝４ａ、４ｂ一端の開口縁に擦れて傷く心配がなくなる。尚、需要家が電線共同溝の左右に存在する場合は、凹溝４ａ、４ｂの両端を開口して、分岐すべき電線類８ａ、８ｂを両側から引き出すようにすればよい。
【００２２】
小型分岐桝本体２の長さ方向の一端には受口５が形成され、他端には挿口６が形成されている。この受口５は、小型分岐桝本体２の長さ方向の端壁２ｅから突出するように形成された偏平な角筒状のもので、電線共同溝の構成部材である蓋付トラフ１１の挿口１１ａが挿し込まれるようになっている。他端の挿口６も小型分岐桝本体２の受口５の反対側の端壁２ｅから突出するように形成された偏平な角筒状のもので、蓋付トラフ１１の受口１１ｂに挿し込まれるようになっている。また、小型分岐桝本体２の内部には、電力線８ａと通信線８ｂを隔ててノイズ等を防止する隔壁７が長さ方向に設けられている。この隔壁７は小型分岐桝本体２と一体に設けてもよいし、別体で設けてもよい。
【００２３】
図３に示すように、小型分岐桝本体２の上端開口縁の蓋受段部２ｆには、点検用の凸蓋３が脱着自在に被着されて小型分岐桝１が構成されている。この凸蓋３は断面が逆Ｕ字形をしており、周囲の土圧や上方からの荷重に充分耐えうるだけの厚みを有している。このような凸蓋３を被着した小型分岐桝１は、電線共同溝１０の途中において、凸蓋３が地面と面一になるように埋設され、凸蓋３を開けて内部の点検を容易に行うことができるので、メンテナンスが簡単である。
【００２４】
図４、図５に示す電線共同溝１０は、その途中の電線類を分岐すべき箇所において、上述した小型分岐桝１を電線共同溝の構成部材である蓋付トラフ１１の相互間に設置し、小型分岐桝１の挿口６を一方の蓋付トラフ１１の受口１１ｂに挿し込むと共に、小型分岐桝１の受口５に他方の蓋付トラフ１１の挿口１１ａを挿し込んで接続したものであって、小型分岐桝１の内部に低圧分岐装置２０を設置してそれぞれの電力線８ａを分岐している。そして、分岐された各電力線８ａを第一の凹溝４ａに嵌めむと共に、通信線８ｂの一部を第二の凹溝４ｂに嵌め込み、これらの分岐された電線類８ａ，８ｂが他の電線類と絡まないようにして凹溝一端の開口２ｃから小型分岐桝１の側壁に対して垂直方向に引き出し、分岐された電線類８ａ，８ｂに擦傷などがつかないようにしている。この電線共同溝１０のように、蓋付トラフ１１より広幅の小型分岐桝１の内部スペースを利用して低圧分岐装置２０を設置し、小型分岐桝１の内部で電力線８ａを分岐すると、従来のように低圧分岐装置を収容する大型のハンドホールから管路を引き出す必要がなくなるので、ハンドホールから離れた所望の個所に小型分岐桝１を設置して電線類を分岐できる利点があり、しかも、引き出される電線類８ａ，８ｂの位置が低くなるので、新地中化計画の埋設深さの最低基準値である３００ｍｍを容易に確保できる利点がある。
【００２５】
尚、この電線共同溝１０を構成する蓋付トラフ１１は、コンクリート等で成形された略Ｕ字形の断面形状を有するトラフに蓋を被せたものであって、その長さ方向の一端には前述の挿口１１ａが、また、他端には受口１１ｂが形成されており、トラフの内部には電力線８ａと通信線８ｂを隔離してノイズ等の発生を防止する隔壁が長さ方向に形成されたものである。
【００２６】
図６に示す電線共同溝１０は、ハンドホール１２の近傍箇所において、小型分岐桝１を蓋付トラフ１１の相互間に設置し、図４，図５に示す電線共同溝と同様に挿口６，１１ａと受口５，１１ｂを利用して小型分岐桝１を蓋付トラフ１１に接続したものであって、ハンドホール１２の内部に低圧分岐装置２０を設置してそれぞれの電力線８ａを分岐し、分岐された各電力線８ａを小型分岐桝１まで引き込んで第一の凹溝４ａに嵌めむと共に、通信線８ｂの一部を第二の凹溝４ｂに嵌め込んで、これらの分岐された電線類８ａ，８ｂを凹溝一端の開口２ｃから需要家まで引き出している。このような電線共同溝１０も、分岐された電線類８ａ，８ｂが小型分岐桝１の内部で他の電線類と絡んだり、擦傷がついたりすることがなく、３００ｍｍの最低埋設基準値を確保して需要家まで引き出すことができる利点がある。
【図面の簡単な説明】
【００２７】
【図１】本発明の一実施形態に係る小型分岐桝の水平断面図である。
【図２】同分岐桝の側面図である。
【図３】同分岐桝の横断面図である。
【図４】本発明の一実施形態に係る電線共同溝を示す水平断面図である。
【図５】同電線共同溝の側面図である。
【図６】本発明の他の実施形態に係る電線共同溝を示す水平断面図である。
【符号の説明】
【００２８】
１    小型分岐桝
２    小型分岐桝本体
２ａ  底壁
２ｃ  開口
３    蓋体（凸蓋）
４ａ  第一の凹溝
４ｂ  第二の凹溝
５    受口
６    挿口
７    隔壁
８ａ  電線類（電力線）
８ｂ  電線類（通信線）
１０  電線共同溝
１１  電線共同溝の構成部材（蓋付トラフ）
１１ａ  挿口
１１ｂ  受口
【図１】
2006101652.tif 000003
【図２】
2006101652.tif 000004
【図３】
2006101652.tif 000005
【図４】
2006101652.tif 000006
【図５】
2006101652.tif 000007
【図６】
2006101652.tif 000008